(57)【要約】【課題】待機モード時にＡＣアダプタのスイッチング動作を完全に停止させ、その後待機モードから動作モードに移行する。【解決手段】待機モード時にスイッチング動作回路１の動作が停止される。電圧検出回路１９では、コンデンサ１５の端子電圧が検出され、その値が所定値より低いと、２次電池２４の電力でコンデンサ１５が充電される。コンデンサ１５および２次電池２４の少なくとも一方を充電する場合、動作が停止されているスイッチング動作回路１が再起動される。このとき、コンデンサ１５および２次電池２４の電力が使用される。【選択図】    図３
2004312892.tif 000002
【特許請求の範囲】
【請求項１】
２次電池を充電するスイッチング電源装置において、
接続されている２次電池を充電するためにスイッチングを行う動作モード、および消費電力を抑えるためにスイッチングを停止する待機モードの何れかで制御されるスイッチング手段と、
上記待機モードから上記動作モードへ移行するときに、上記スイッチング手段を動作させるための電力を保持する電力蓄積手段と、
上記電力蓄積手段の電圧を検出する電圧検出手段とを有し、
上記スイッチング手段が上記待機モードで制御されているときに、上記電圧検出手段にて、上記電力蓄積手段の電圧が所定値より低い場合、上記２次電池から上記電力蓄積手段を充電するようにしたことを特徴とするスイッチング電源装置。
【請求項２】
上記スイッチング手段が上記待機モードで制御されているときに、上記電圧検出手段にて、上記電力蓄積手段の電圧が所定値より低い場合、上記スイッチング手段の制御を上記待機モードから上記動作モードへ移行し、上記電力蓄積手段を充電するようにしたことを特徴とする請求項１に記載のスイッチング電源装置。
【請求項３】
上記スイッチング手段が上記待機モードで制御されているときに、上記電圧検出手段にて、上記電力蓄積手段の電圧が所定値より低く、且つ上記２次電池の容量も所定値より低い場合、上記スイッチング手段の制御を上記待機モードから上記動作モードへ移行し、上記電力蓄積手段および上記２次電池の少なくとも一方を充電するようにしたことを特徴とする請求項１に記載のスイッチング電源装置。
【請求項４】
上記２次電池から上記電力蓄積手段を充電する場合、パルス状の電流を供給するようにしたことを特徴とする請求項１に記載のスイッチング電源装置。
【請求項５】
さらに、上記スイッチング手段が制御されているモードを検出するモード検出手段を有し、
上記モード検出時の検出値を変更するようにしたことを特徴とする請求項１に記載のスイッチング電源装置。
【請求項６】
上記待機モードが検出されると、上記電力蓄積手段および上記２次電池の少なくとも一方を充電する程度の電力の出力となるように、電力特性を変更するようにしたことを特徴とする請求項１に記載のスイッチング電源装置。
【請求項７】
上記商用電源の供給が停止されたことを検出し、上記２次電池から上記電力蓄積手段を充電する動作を停止するようにしたことを特徴とする請求項１に記載のスイッチング電源装置。
【請求項８】
２次電池を充電するスイッチング電源装置の制御方法において、
接続されている２次電池を充電するためにスイッチングを行う動作モード、および消費電力を抑えるためにスイッチングを停止する待機モードの何れかで制御されるスイッチング手段と、
上記待機モードから上記動作モードへ移行するときに、上記スイッチング手段を動作させるための電力を保持する電力蓄積手段と、
上記電力蓄積手段の電圧を検出する電圧検出手段とを有するスイッチング電源装置であって、
上記スイッチング手段が上記待機モードで制御されているときに、上記電圧検出手段にて、上記電力蓄積手段の電圧が所定値より低い場合、上記２次電池から上記電力蓄積手段を充電するようにしたことを特徴とするスイッチング電源装置の制御方法。
【請求項９】
上記スイッチング手段が上記待機モードで制御されているときに、上記電圧検出手段にて、上記電力蓄積手段の電圧が所定値より低い場合、上記スイッチング手段の制御を上記待機モードから上記動作モードへ移行し、上記電力蓄積手段を充電するようにしたことを特徴とする請求項８に記載のスイッチング電源装置の制御方法。
【請求項１０】
上記スイッチング手段が上記待機モードで制御されているときに、上記電圧検出手段にて、上記電力蓄積手段の電圧が所定値より低く、且つ上記２次電池の容量も所定値より低い場合、上記スイッチング手段の制御を上記待機モードから上記動作モードへ移行し、上記電力蓄積手段および上記２次電池の少なくとも一方を充電するようにしたことを特徴とする請求項８に記載のスイッチング電源装置の制御方法。
【請求項１１】
上記２次電池から上記電力蓄積手段を充電する場合、パルス状の電流を供給するようにしたことを特徴とする請求項８に記載のスイッチング電源装置の制御方法。
【請求項１２】
さらに、上記スイッチング手段が制御されているモードを検出するモード検出手段を有し、
上記モード検出時の検出値を変更するようにしたことを特徴とする請求項８に記載のスイッチング電源装置の制御方法。
【請求項１３】
上記待機モードが検出されると、上記電力蓄積手段および上記２次電池の少なくとも一方を充電する程度の電力の出力となるように、電力特性を変更するようにしたことを特徴とする請求項８に記載のスイッチング電源装置の制御方法。
【請求項１４】
上記商用電源の供給が停止されたことを検出し、上記２次電池から上記電力蓄積手段を充電する動作を停止するようにしたことを特徴とする請求項８に記載のスイッチング電源装置の制御方法。
【発明の詳細な説明】
【０００１】
【発明の属する技術分野】
この発明は、待機モード時の消費電力を零にすることができるスイッチング電源装置およびその制御方法に関する。
【０００２】
【従来の技術】
従来、電源供給装置、例えばＡＣ（Ａｌｔｅｒｎａｔｉｎｇ  Ｃｕｒｒｅｎｔ）アダプタおよび電子機器には、消費電力を抑えるために電子機器が動作しているときに電源を供給する動作モードと、電子機器が動作していないときに消費電力を抑える待機モードとが設けられているものがある。
【０００３】
ＡＣアダプタの待機モード時の消費電力を抑える方式として、電源供給装置中のスイッチング電源回路を待機モード時に停止させ、電源供給装置からの出力電圧が低下したときに、スイッチング電源回路を再度動作させて、待機モード時に使用するコンデンサまたは二次電池を充電するようにしたものがある。
【０００４】
例えば、図３９Ａに示すように、コンデンサまたは二次電池の端子電圧が低下し、端子電圧が３．５Ｖになると、図３９Ｂに示すようにパルスが立ち上がり、コンデンサまたは２次電池を充電するためにＡＣアダプタのスイッチングが行われる。そして、コンデンサまたは二次電池の端子電圧が５Ｖになったことが確認されると、パルスは立ち下がり、スイッチングが停止される。
【０００５】
【特許文献１】
特開２０００−００４５８３
【０００６】
この特許文献１には、基本電力損失を零とし、スイッチング電源装置の効率を高めると共に、このスイッチング電源装置を具備する電子機器の電力利用効率をも高めるようにしたものが記載されている。
【０００７】
【発明が解決しようとする課題】
しかしながら、この方式は、一時的にスイッチングを行うので、待機モード時の消費電力を小さくすることが難しい。
【０００８】
従って、この発明の目的は、待機モード時にＡＣアダプタのスイッチングを完全に停止させ、その後待機モードから動作モードに移行することができるスイッチング電源装置およびその制御方法を提供することにある。
【０００９】
【課題を解決するための手段】
上述した課題を達成するために請求項１の発明は、２次電池を充電するスイッチング電源装置において、接続されている２次電池を充電するためにスイッチングを行う動作モード、および消費電力を抑えるためにスイッチングを停止する待機モードの何れかで制御されるスイッチング手段と、待機モードから動作モードへ移行するときに、スイッチング手段を動作させるための電力を保持する電力蓄積手段と、電力蓄積手段の電圧を検出する電圧検出手段とを有し、スイッチング手段が待機モードで制御されているときに、電圧検出手段にて、電力蓄積手段の電圧が所定値より低い場合、２次電池から電力蓄積手段を充電するようにしたことを特徴とするスイッチング電源装置である。
【００１０】
請求項８の発明は、２次電池を充電するスイッチング電源装置の制御方法において、接続されている２次電池を充電するためにスイッチングを行う動作モード、および消費電力を抑えるためにスイッチングを停止する待機モードの何れかで制御されるスイッチング手段と、待機モードから動作モードへ移行するときに、スイッチング手段を動作させるための電力を保持する電力蓄積手段と、電力蓄積手段の電圧を検出する電圧検出手段とを有するスイッチング電源装置であって、スイッチング手段が待機モードで制御されているときに、電圧検出手段にて、電力蓄積手段の電圧が所定値より低い場合、２次電池から電力蓄積手段を充電するようにしたことを特徴とするスイッチング電源装置の制御方法である。
【００１１】
ＡＣアダプタが待機モードで制御されるときに、スイッチング回路の動作を停止させて、消費電力を零とする。２次巻き線側に設けられたコンデンサや、ＡＣアダプタに接続された電子機器の２次電池からスイッチングを起動させる電力を獲得することができる。
【００１２】
【発明の実施の形態】
以下、この発明の実施形態について図面を参照して説明する。まず、この発明を容易とするために、この発明の概要を説明する。この発明は、図１に示すように、時点ｔ１で電源供給装置、例えばＡＣアダプタが動作モードから待機モードへ移行した場合、その後ＡＣアダプタから出力がされないようになる。このＡＣアダプタは、電子機器に接続され、商用電源を所望のＤＣ（Ｄｉｒｅｃｔ  Ｃｕｒｒｅｎｔ）電源へ変換して接続された電子機器に供給するものである。
【００１３】
このＡＣアダプタが待機モードに移行したときに、ＡＣアダプタのスイッチングを停止した場合、再度動作モードへ移行するとき、すなわちスイッチングを再起動するとき、スイッチングを行うために電力が必要になる。この実施形態では、再起動時に必要になる電力をＡＣアダプタに接続されている電子機器を含めたＡＣアダプタ内のトランスの２次巻き線側から獲得する。
【００１４】
このように、スイッチングを一度停止させると、再起動するために２次巻き線側から電力を獲得しないと動作モードに移行することができないため、２次巻き線側にはスイッチングを再起動させるための電力（電圧および電流）が少なくとも必要になる。もし、２次巻き線側にスイッチングを再起動するための電力がない場合、スイッチングを再起動させることができない。
【００１５】
そのため、２次巻き線側に備えているコンデンサまたは２次電池の端子電圧を所定値以上に維持する必要がある。また、２次巻き線側にコンデンサおよび二次電池などの電力を蓄積する手段を備えていない場合、ＡＣアダプタのスイッチングを再起動させる手段を備える必要がある。
【００１６】
まず、この発明の第１の実施形態として、ＡＣアダプタには、少なくとも動作モード／待機モード検出回路と、待機時電源停止回路と、再起動回路とが設けられているものを説明する。またこのとき、電子機器には、少なくともコンデンサおよび二次電池などの電力を蓄積する手段と、充電回路と、再起動信号回路とが設けられている。
【００１７】
電子機器では、例えば、図２に示すように、時点ｔ１１において、待機モードへ移行し、時点ｔ１２において、再度動作モードへ移行する。従って、時点ｔ１１から時点ｔ１２の期間は待機モードであり、ＡＣアダプタのスイッチングが停止されている。
【００１８】
図３を参照して、この発明が適用された第１の実施形態の構成を説明する。この図３は、２次巻き線側の電力を蓄積する手段としてコンデンサおよび２次電池を使用したものである。
【００１９】
参照符号１１で示すトランスの１次巻き線１１ａには、スイッチング回路１が接続される。スイッチング回路１では、制御回路２によってデューティ比が制御される。デューティ比に基づいた電流が１次巻き線１１ａに流れ、２次巻き線１１ｂに誘起電圧が発生する。すなわち、デューティ比に基づいた誘起電圧が２次巻き線１１ｂに発生する。この制御回路２は、帰還回路３からの信号に応じて２次巻き線１１ｂから出力される誘起電圧が所定値となるようにスイッチング回路１のデューティ比を制御する。
【００２０】
帰還回路３を経由してスイッチング回路１を待機モードにする信号が供給されると、制御回路２によってスイッチング回路１の動作が停止される。また、信号検出回路４では、帰還回路３からスイッチング回路１を再起動させる動作信号が検出されると、起動回路５へ信号が供給される。起動回路５では、信号が供給されると、待機モードのため停止していたスイッチング回路１を動作させるための電力をスイッチング回路１に供給し、スイッチング回路１を動作モードへ移行させる。
【００２１】
２次巻き線１１ｂには、出力される電力を整流するためのダイオード１２およびコンデンサ１３が接続される。ダイオード１２およびコンデンサ１３の接続点は、参照符号２１ａで示すＡＣアダプタの出力端子と接続される。また、２次巻き線１１ｂおよびコンデンサ１３の接続点は、抵抗１７を介して参照符号２１ｂで示すＡＣアダプタの出力端子と接続される。
【００２２】
ダイオード１４のアノードは、ダイオード１２およびコンデンサ１３の接続点と接続され、そのカソードは、コンデンサ１５（電力蓄積手段）を介して２次巻き線１１ｂおよびコンデンサ１３の接続点と接続される。このコンデンサ１５には、スイッチング回路１を動作モードに移行するとき、すなわちスイッチング回路１を再起動させるときに必要な電力が蓄積される。
【００２３】
出力端子２１ａおよび２１ｂには、電子機器のスイッチ回路２２および２次電池２４が直列に接続される。スイッチ回路２２は、例えば待機モードのときに端子２３を介して再起動させる信号が供給されると、オンとなり、２次電池２４からＡＣアダプタへ電力が供給され、供給された電力でコンデンサ１５が充電される。
【００２４】
なお、２次電池２４から出力される電力で充電されたコンデンサ１５によってスイッチング回路１を再起動させるようにしているが、２次電池２４から出力される電力でスイッチング回路１を起動させる。
【００２５】
検出制御回路１６は、抵抗１７の両端および出力端子２１ａと接続される。この検出制御回路１６では、ＡＣアダプタから出力される電圧および電流が検出され、検出された電圧および電流から待機モードおよび動作モードが判断される。検出された電圧および電流は、帰還回路３へ供給され、待機モードおよび動作モードの判断結果は、起動信号回路２０へ供給される。
【００２６】
電圧検出回路１９では、コンデンサ１５の端子電圧が検出される。その検出結果は、再起動電源回路１８および起動信号発信回路２０へ供給される。再起動電源回路１８では、コンデンサ１５の電力からスイッチング回路１を再起動させるための電力が生成される。従って、生成された電力は、帰還回路３を介してスイッチング回路１へ供給される。
【００２７】
起動信号発信回路２０では、検出制御回路１６からの判断結果と、電圧検出回路１９からの検出結果とからスイッチング回路１を再起動させるか否かが判断される。スイッチング回路１を再起動させると判断すると、帰還回路３を介して動作信号が信号検出回路４へ供給される。
【００２８】
このように、この第１の実施形態は、再起動電源回路１８に供給する電力をコンデンサ１５から獲得するようにしたものであり、コンデンサ１５の端子電圧が所定値より低下した場合、２次電池２４によってコンデンサ１５を充電するようにしたものである。電子機器に設けられている２次電池２４は、一般的にコンデンサと比較すると大容量の電力を保持することができるので、スイッチング回路１を再起動させる電力を供給することができる。従って、ＡＣアダプタの待機モード時の消費電力を零にすることができる。
【００２９】
図４を参照して、第１の実施形態の変形例を説明する。第１の実施形態では、スイッチング回路１を起動させるための電力を蓄積するコンデンサ１５に、ダイオード１２およびコンデンサ１３で整流された電力が供給されているが、ダイオード１２およびコンデンサ１３で整流する前のトランス１１からの電力をコンデンサ１５に供給するようにしても良い。
【００３０】
また、図４Ｂに示すように、ダイオード１４およびコンデンサ１５で構成するスイッチング回路１を起動させるための電力を蓄積する手段を参照符号３１で示す電力蓄積回路とするようにしても良い。この電力蓄積回路３１は、ＮＰＮ型のトランジスタ３２、抵抗３３、３５コンデンサ３４、３７、およびＮＰＮ型のトランジスタ３６から構成される。
【００３１】
トランジスタ３２のエミッタは、ダイオード１２のカソードと接続され、そのコレクタは、コンデンサ３４を介して２次巻き線１１ｂと接続され、そのベースは、抵抗３３を介して２次巻き線１１ｂと接続される。トランジスタ３６のコレクタは、ダイオード１２のカソードと接続され、そのエミッタは、コンデンサ３７を介して２次巻き線１１ｂと接続され、そのベースは、抵抗３５を介してダイオード１２のカソードと接続される。
【００３２】
この電力蓄積回路３１では、トランジスタ３２のコレクタからコンデンサ３４に蓄積された電力を取り出すことができ、同様にトランジスタ３６のエミッタからコンデンサ３７に蓄積された電力を取り出すことができる。
【００３３】
この第１の実施形態では、整流用のコンデンサ１３と、起動用のコンデンサ１５とを分離している。若し、整流用のコンデンサ１３と、起動用のコンデンサ１５とを分離せず、１つのコンデンサで共用すると、出力負荷に低インピーダンスを接続された場合に、スイッチング回路１を起動させる前に共用のコンデンサの端子電圧が低下し、スイッチング回路１を起動させることができなくなる。従って、この実施形態では、整流用のコンデンサ１３および起動用のコンデンサ１５をそれぞれ設けている。
【００３４】
図５を参照して、第１の実施形態の動作を説明する。コンデンサ１５の両端に接続された起動検出回路４１では、起動用のコンデンサ１５の端子電圧が検出され、スイッチング回路１を起動させることが可能か否かが検出される。ここで、コンデンサ１５の端子電圧が低下し、コンデンサ１５および２次電池２４を充電する必要が発生した場合、起動検出回路４１から電源供給回路４２へコンデンサ１５の電力が供給され、また起動信号発信回路４３へ信号が供給される。
【００３５】
電源供給回路４２では、供給された電力からスイッチング回路１を動作させるための電力を生成し、その生成した電力を帰還回路３を介してスイッチング回路１へ供給する。また、この電源供給回路４２では、スイッチング回路１へ電力を供給したことを知らせる信号を起動信号発信回路４３へ供給する。起動信号発信回路４３では、起動検出回路４１からの信号と、電源供給回路４２からの信号とに応じて、再起動させるための動作信号が帰還回路３を介してスイッチング回路１へ供給される。
【００３６】
この第１の実施形態では、図６Ａに示すように、起動信号発信回路４３から出力される動作信号は、動作モード時のみハイレベルとなり、待機モード時にはローレベルとなる。ただし、待機モード時にローレーベルの動作信号を出力するため、スイッチング回路１を再起動させるときの電力として動作信号を使用することができない。
【００３７】
これに対して、図６Ｂに示すように、起動信号発信回路４３から出力される動作信号は、動作モード時のみローレベルとなり、待機モード時にはハイレベルとなるようにしても良い。このように、待機モード時にハイレベルとなる動作信号を出力する場合、その動作信号を再起動させる電力として使用することができるので、スイッチング回路１を容易に再起動させることができる。しかしながら、待機モード時であっても常に動作状態になる回路があり、待機モード時の消費電力を抑えることができない。
【００３８】
従って、この実施形態では、動作モード時のみハイレベルの動作信号を出力し、待機モード時には回路を停止することが可能なローレベルの動作信号を出力する。そして、スイッチング回路１を再起動させる電力は、２次巻き線側から獲得するようにしている。
【００３９】
図７を参照して、この発明の第２の実施形態を説明する。この第２の実施形態では、電子機器に設けられている２次電池２４の電力が低下しているときの動作を説明する。
【００４０】
微少電流検出回路５１では、出力端子２１ａおよび２１ｂに電子機器が接続されることによって発生する微少電流が検出される。従って、この微少電流検出回路５１では、電子機器が接続されたか否かを検出することができる。この微少電流検出回路５１での検出結果は、待機信号発信回路５２および動作信号発信回路５３へ供給される。
【００４１】
出力端子２１ａと接続されている再起動電源回路５４では、スイッチング回路１を再起動させるための電力（電源）が獲得される。
【００４２】
電圧検出回路５５では、獲得された電力の電圧が検出される。検出された電圧が所定値より低いと判断されると、スイッチング回路１を再起動させるために、起動信号発信回路５６へ信号が供給される。また、検出された電圧が所定値以上であると判断されると、スイッチング回路１を待機状態とさせるために、待機信号発信回路５２へ信号が供給される。
【００４３】
起動信号発信回路５６では、供給された信号に応じて動作信号発信回路５３へ起動信号が供給される。
【００４４】
待機信号発信回路５２では、微少電流検出回路５１からの検出結果と、電圧検出回路５５からの信号とに基づいて、スイッチング回路１を待機モードにする場合、待機信号が動作停止回路５７へ供給される。
【００４５】
動作信号発信回路５３では、微少電流検出回路５１からの検出結果と、起動信号発信回路５６からの起動信号とに基づいて、スイッチング回路１を動作モードにする場合、スイッチング回路１を再起動させるために動作信号が解除回路５８および再起動回路５９へ供給される。
【００４６】
動作停止回路５７では、待機信号発信回路５２から待機信号が供給されると、スイッチング回路１の動作を停止するように、スイッチング回路１へ制御信号が供給される。
【００４７】
解除回路５８では、動作信号発信回路５３から動作信号が供給されると、動作停止回路５７へ解除信号を供給し、スイッチング回路１へ供給している動作を停止する制御信号の供給を停止させる。
【００４８】
再起動回路５９では、動作信号発信回路５３から動作信号が供給されると、再起動させるための制御信号がスイッチング回路１へ供給される。
【００４９】
この第２の実施形態では、電子機器に設けられている２次電池２４の電力が低下して、スイッチング回路１を再起動させるための電力を２次電池２４から獲得することができない。そのため、コンデンサ１５の電圧（電力）が所定値より低下していると、スイッチング回路１を動作させるため、スイッチング回路１の動作は、間欠動作になる。
【００５０】
例えば、図８に示すように、微少電流検出回路５１において、検出される電流が電流ｉ１より低下した場合、スイッチング回路１は待機モードであっても間欠動作（以下、「間欠モード」と称する）となる。検出された電流が電流ｉ１以上の場合、スイッチング回路１が完全に停止してる待機モードとなる。また、微少電流検出回路５１において、電流ｉ２以上の電流が検出されると、動作モードとなり、間欠モードに関係なく、スイッチング回路１は連続的に動作する。
【００５１】
なお、微少電流検出回路５１において、電流ｉ１より低下した電流が検出された場合、間欠モードとするのではなく、供給モードとし、スイッチング回路１を連続的に動作させるようにしても良い。ただし、供給モードに移行した場合、２次巻き線側からの制御信号などで待機モードに移行させることができない。
【００５２】
図９を参照して、動作モード、待機モード、および間欠モードについて説明する。図９Ａには、コンデンサ１５の端子電圧と時間経過との関係を示し、図９Ｂには、動作モードをハイレベルで示し、供給モードをローレベルで示す。時点ｔ２０からｔ２１までの間は、スイッチング回路１が動作モードで制御される。時点ｔ２１を境にスイッチング回路１は、動作モードから待機モードへ移行する。時点ｔ２１までは動作モードでスイッチング回路１が制御されているので、コンデンサ１５の端子電圧は電圧ｖ２３となる。しかし、時点ｔ２１以降は、コンデンサ１５の端子電圧は低下し、時点ｔ２２で電圧ｖ２２となる。
【００５３】
コンデンサ１５の端子電圧が電圧ｖ２２となると、電子機器に設けられた２次電池２４から電力が供給され、コンデンサ１５は充電される。その後、図１５Ａに示すように、コンデンサ１５は、２次電池２４によって充電されるので、電圧ｖ２２を維持することができる。
【００５４】
ここで、時点ｔ２３で電子機器がＡＣアダプタから取り外されると、コンデンサ１５の端子電圧が再度低下する。そして、時点ｔ２４でコンデンサ１５の端子電圧が電圧ｖ２１となると、それ以降間欠モードとなる。すなわち、時点ｔ２４からｔ２５の間、スイッチング回路１は動作し、コンデンサ１５を充電する。そして、コンデンサ１５が充電される時点ｔ２５でスイッチング回路１の動作が停止される。スイッチング回路１の動作が停止された時点ｔ２５以降は、コンデンサ１５の端子電圧が低下し、時点ｔ２６で端子電圧が電圧ｖ２１になると、再度スイッチング回路１が動作する。このように、間欠モードでは、スイッチング回路１の動作と停止とが繰り返される。
【００５５】
図１０のフローチャートを参照して、第２の実施形態の動作を説明する。ステップＳ１では、スイッチング回路１が動作モードで動作している。ステップＳ２では、微少電流検出回路５１において、微少電流が検出される。ステップＳ３では、検出された微少電流が所定値（電流ｉ２）以下か否かが判断される。検出された微少電流が電流ｉ２以下であると判断されると、ステップＳ４へ制御が移り、電流ｉ２を超えると判断されると、ステップＳ１へ制御が戻る。ステップＳ４では、スイッチング回路１の動作が動作モードから待機モードへ移行する。ステップＳ５では、待機モード時に必要な回路以外の動作が停止される。ステップＳ６では、コンデンサ１５の端子電圧が検出される。
【００５６】
ステップＳ７では、検出された端子電圧が所定値（電圧ｖ２１）以下か否かが判断される。検出された端子電圧が電圧ｖ２１以下であると判断されると、ステップＳ８へ制御が移り、電圧ｖ２１を超えると判断されると、ステップＳ４へ制御が戻る。ステップＳ８では、スイッチング回路１を再起動させるために、再起動回路５９へ制御信号が供給される。ステップＳ９では、同様に解除回路５８から解除信号が動作停止回路５７へ供給される。ステップＳ１０では、動作停止回路５７において、スイッチング回路１の動作を停止していた制御信号の供給を停止する。そして、ステップＳ１へ制御が戻る。
【００５７】
図１１および図１２を参照して、この発明の第３の実施形態を説明する。この第３の実施形態は、待機モード時に必要な回路のみを動作させ、その他の回路への電力供給を停止するために、２つの電源供給制御回路を設けるようにしたものである。
【００５８】
微少電流検出回路５１では、出力端子２１ａおよび２１ｂに接続される電子機器に出力される電流が検出される。微少電流検出回路５１において検出された電流が電流ｉ３２以下の場合、待機モードへ移行するための信号が供給停止回路６１および供給停止・解除信号発信回路６５へ供給される。
【００５９】
供給停止回路６１では、微少電流検出回路５１から信号が供給されると、電源供給制御回路６２へ電力供給を停止するように供給停止信号が供給される。電源供給制御回路６２では、供給停止信号が供給されると、帰還回路３、微少電流検出回路５１、および起動信号発信回路６４に対する電力供給が停止される。コンデンサ１５の端子電圧を検出する電圧検出回路６９以外の回路に対する電力供給が停止される。
【００６０】
そして、電圧検出回路６９において、所定値（電圧ｖ３１）以下の端子電圧が検出されると、停止信号／解除信号発信回路６３および起動信号発信回路６４に対してスイッチング回路１を再起動させるための動作信号が供給される。停止信号／解除信号発信回路６３では、電力供給の停止を解除するために解除信号が電源供給制御回路６２へ供給される。電源供給制御回路６２は、停止信号／解除信号発信回路６３からの解除信号に応じて、帰還回路３、微少電流検出回路５１、および起動信号発信回路６４を動作させるために、電力を供給する。電源供給制御回路６２では、コンデンサ１５から電力を獲得している。
【００６１】
また、電圧検出回路６９において、所定値（電圧ｖ３３）以上の端子電圧が検出されると、停止信号／解除信号発信回路６３および起動信号発信回路６４に対してスイッチング回路１の動作を停止させるための停止信号が供給される。停止信号／解除信号発信回路６３では、電力供給を停止するために停止信号が電源供給制御回路６２へ供給される。電源供給制御回路６２では、停止信号／解除信号発信回路６３からの停止信号に応じて、電圧検出回路６９以外の回路に対する電力供給が停止される。
【００６２】
供給停止・解除信号発信回路６５では、微少電流検出回路５１から信号が供給されると、電源供給制御回路６６へ電力供給を停止するように供給停止信号が供給される。出力端子２１ａから電力を獲得している電源供給制御回路６６では、供給停止信号が供給されると、帰還回路３、定電圧検出回路６８、および定電流検出回路７０に対する電力供給が停止される。
【００６３】
なお、コンデンサ１５の端子電圧を検出する電圧検出回路６９のみを動作させるため、検出停止解除回路６７に対して、動作モード時に停止していた端子電圧の検出を解除する解除信号が電源供給制御回路６６から検出停止解除回路６７へ供給される。解除信号が供給された検出停止解除回路６７では、待機モード時に電圧検出回路６９のみが動作可能なように、電力が供給される。
【００６４】
そして、待機モード時において、電圧検出回路６９から所定値（電圧ｖ３１）以下の端子電圧が検出されると、動作モードへ移行するので、帰還回路３、定電圧検出回路６８、および定電流検出回路７０へ電源供給制御回路６６から電力が供給される。
【００６５】
このように、この第３の実施形態では、微少電流検出回路５１において検出された電流が電流ｉ３２以下の場合、コンデンサ１５の端子電圧を検出する電圧検出回路６９以外の回路に対する電力供給が停止される。
【００６６】
なお、定電圧回路６８は、出力端子２１ａおよび２１ｂと接続され、検出された電圧は、帰還回路３を介して１次巻き線１１ａ側へ供給される。定電流回路７０は、２次巻き線１１ｂと出力端子２１ｂとの間に設けられ、検出された電流は、帰還回路３を介して１次巻き線１１ａ側へ供給される。起動信号発信回路６４では、電源供給制御回路６２から電力が供給され、電圧検出回路６９からの停止信号および解除信号に応じて、帰還回路３を介して１次巻き線１１ａ側に起動信号が供給および供給が停止される。
【００６７】
このように、微少電流検出回路５１において、図１２Ａに示す電流ｉ３１からｉ３２の間の電流値が検出されると、待機モードとされ、電流ｉ３２からｉ３３の間の電流値が検出されると、動作モードとされる。電流ｉ３３からｉ３４の間の電流は電子機器が接続されているときに使用される。
【００６８】
このように間欠モードで動作する場合、コンデンサ１５の端子電圧は、図１２Ｂに示すように、時点ｔ３０からｔ３１の間は、スイッチング電源回路１が動作モードで制御される。そして、時点ｔ３１で動作モードから待機モードへ移行する。時点ｔ３１からｔ３２の間は、待機モードとなり、時点ｔ３２からｔ３３の間は、動作モードとなる。このように、間欠モードは、待機モードと動作モードとが繰り返される。なお、間欠モードの場合、コンデンサ１５の端子電圧には関係なく、動作させる。また、間欠モード時の電圧変動の幅は、電圧ｖ３３からｖ３１の間となる。
【００６９】
また、電子機器の２次電池２４からコンデンサ１５を充電することが可能な場合、電圧検出回路６９のみを動作させるだけで良い。このときの電圧ｖ３２となる電圧が２次電池２４からコンデンサ１５へ供給される。
【００７０】
図１３のフローチャートを参照して、第３の実施形態の動作を説明する。ステップＳ１１では、スイッチング回路１が待機モードで制御されている。ステップＳ１２では、コンデンサ１５の端子電圧が電圧検出回路６９で検出される。ステップＳ１３では、検出された端子電圧が所定値（電圧ｖ３１）以下か否かが判断される。検出された端子電圧は電圧ｖ３１以下であると判断されると、ステップＳ１４へ制御が移り、電圧ｖ３１を超えていると判断されると、ステップＳ１２へ制御が戻る。すなわち、端子電圧が電圧ｖ３１となるまで、スイッチング回路１は待機モードで制御される。
【００７１】
ステップＳ１４では、電圧検出回路６９から停止信号／解除信号発信回路６３へ動作信号が供給される。ステップＳ１５では、停止信号／解除信号発信回路６３から解除信号が供給された電源供給制御回路６２において、スイッチング回路１が制御されている待機モードを解除し、動作モードへ移行するために、帰還回路３、微少電流検出回路５１、および起動信号発信回路６４へ電力が供給される。そして、電源供給制御回路６６から帰還回路３、定電圧検出回路６８および定電流検出回路７０に電力が供給され、電圧検出回路６９の動作が停止される。
【００７２】
ステップＳ１６では、微少電流検出回路５１において、電子機器に出力される電流が検出される。ステップＳ１７では、検出された電流から待機モードか否かが判断される。すなわち、検出された電流が電流ｉ３１からｉ３２の間の電流値か否かが判断される。検出された電流が電流ｉ３１からｉ３２の間の電流値であると判断されると、ステップＳ１８へ制御が移り、電流ｉ３１からｉ３２の間の電流値でないと判断されると、ステップＳ１６へ制御が戻る。
【００７３】
ステップＳ１８では、電源供給制御回路６２から帰還回路３、微少電流検出回路５１、および起動信号発信回路６４へ電力の供給が停止され、電源供給制御回路６６から帰還回路３、定電圧検出回路６８および定電流検出回路７０に電力の供給され、電圧検出回路６９のみ電力が供給される。
【００７４】
図１４を参照して、この発明の第４の実施形態を説明する。この第４の実施形態は、電子機器の２次電池２４からスイッチング回路１を再起動させる電力を供給しているときに、待機モード時には２次電池２４の電力をトランス１１の１次巻き線１１ｂ側に供給しないようにするものである。
【００７５】
動作検出回路７１では、スイッチング回路１が動作しているか否かが検出される。この動作検出回路７１は、ダイオード１４から供給されるパルス電圧を検出することによって、スイッチング回路１が動作しているか否かを判断する。その判断結果は、動作検出回路７１から検出制御回路７２へ供給される。
【００７６】
検出制御回路７２では、抵抗７３の両端と接続され、出力端子２１ａおよび２１ｂから出力される電流が検出される。この検出制御回路７２では、動作検出回路７１から判断結果と、検出される電流とから現在動作モードで制御されているか否かが判断される。そして、動作モードで制御されていないと判断されると、停止信号発信回路７４へ信号を供給する。また、検出制御回路７２で検出された電流は、帰還回路３を介して１次巻き線１１ａ側に供給される。
【００７７】
停止信号発信回路７４では、検出制御回路７２からの信号に応じて、スイッチ回路７６をオフとさせるための停止信号がスイッチ回路７６へ供給される。スイッチ回路７６では、停止信号発信回路７４から停止信号が供給されると、２次電池２４からの電圧を帰還回路３を介して１次巻き線１１ａ側に供給されないように、オフとなる。
【００７８】
電圧検出回路７７では、出力端子２１ａと２１ｂとの間の電位差が検出される。この電圧検出回路７７において、電子機器の２次電池２４から供給される電圧、すなわち２次電池２４の端子電圧が所定値より低下した場合、２次電池２４を充電するために起動信号発信回路２０へ信号が供給される。
【００７９】
起動信号発信回路２０では、電圧検出回路７７からの信号が供給されると、帰還回路３を介してスイッチング回路１を再起動させるための信号を１次巻き線１１ａ側に供給する。また、停止解除信号発信回路７５にもスイッチング回路１を再起動させるための信号が起動信号発信回路２０から供給される。
【００８０】
停止解除信号発信回路７５では、停止信号発信回路７４からスイッチ回路７６へ供給されている停止信号の供給を解除するための停止解除信号が停止信号発信回路７４へ供給される。
【００８１】
停止信号発信回路７４では、停止解除信号発信回路７５からの停止解除信号が供給されると、スイッチ回路７６へ供給していた停止信号の出力を解除する。スイッチ回路７６では、停止信号発信回路７４から停止信号が供給されないので、その状態がオンとなりスイッチング回路１を再起動させるための電力が帰還回路３を介してスイッチング回路１へ供給される。
【００８２】
図１５のフローチャートを参照して、第４の実施形態の動作を説明する。ステップＳ２１では、スイッチング回路１が待機モードで制御されている。ステップＳ２２では、電圧検出回路７７において、２次電池２４から供給される電圧が検出される。ステップＳ２３では、検出された電圧が所定値以下か否かが判断される。検出された電圧が所定値以下であると判断されると、ステップＳ２４へ制御が移り、所定値を超えていると判断されると、ステップＳ２２へ制御が戻る。
【００８３】
ステップＳ２４では、起動信号発信回路２０から起動信号が帰還回路３を介してスイッチング電源回路１へ供給される。ステップＳ２５では、スイッチ回路７６がオンとされ、２次電池２４からの電力を使用してスイッチング電源回路１が再起動される。ステップＳ２６では、スイッチング回路１が動作モードで制御される。
【００８４】
ステップＳ２７では、動作検出回路７１において、２次巻き線１１ｂから出力されるパルス電圧が検出される。ステップＳ２８では、検出されたパルス電圧が所定値以下か否かが判断される。検出されたパルス電圧が所定値以下であると判断されると、ステップＳ２９へ制御が移り、所定値を超えていると判断されると、ステップＳ２７へ制御が戻る。
【００８５】
ステップＳ２９では、スイッチング回路１に対して動作を停止するための信号が供給される。ステップＳ３０では、スイッチ回路７６がオフとされ、１次巻き線１１ａ側へ供給している二次電池２４からの電力の供給が停止される。ステップＳ３１では、スイッチング回路１が待機モードで制御される。
【００８６】
図１６を参照して、この発明の第５の実施形態を説明する。この第５の実施形態は、コンデンサ１５を充電するときに、２次電池２４から出力される電力をパルス状にしてコンデンサ１５を充電する一例である。充電回路８１は、出力端子２１ａから延設される経路に設けられる。スイッチ回路２２は、充電回路８１と並列になるように設けられる。２次電池２４は、充電回路８１とスイッチ回路２２との接続点と、出力端子２１ｂとの間に設けられる。スイッチ回路２２は、制御回路８２によってオン／オフが制御され、２次電池２４の電力を間欠発振させる。充電回路８１は、停止回路８３からの信号に応じて、２次電池２４を充電する。この停止回路８３は、制御回路８２によって制御される。
【００８７】
この第５の実施形態では、２次電池２４によってコンデンサ１５を充電するときの消費電力を抑えるために、２次電池２４の出力がパルス状になるように、制御回路８２によってスイッチ回路２２のオン／オフが制御される。図１７Ａには、コンデンサ１５の端子電圧と時間経過との特性を示し、図１７Ｂには、２次電池２４から出力される電流を示す。
【００８８】
時点ｔ４０からｔ４１の間は、コンデンサ１５を充電するために、２次電池２４からパルス状の電流が出力されるので、コンデンサ１５の端子電圧は、電圧ｖ４２からｖ４３まで上昇する。時点ｔ４０からｔ４２の間が充電期間となるので、時点ｔ４２を境にコンデンサ１５の端子電圧が低下する。そして、時点ｔ４３でコンデンサ１５の端子電圧が電圧ｖ４２になると、２次電池２４からコンデンサ１５に対して充電が開始される。
【００８９】
同様に時点ｔ４３からｔ４４の間は、コンデンサ１５を充電するために、２次電池２４からパルス状の電流が出力されるので、コンデンサ１５の端子電圧は、電圧ｖ４２からｖ４３まで上昇する。時点ｔ４３からｔ４５の間が充電期間となるので、時点ｔ４５を境にコンデンサ１５の端子電圧が低下する。そして、時点ｔ４６でコンデンサ１５の端子電圧が電圧ｖ４２になると、２次電池２４からコンデンサ１５に対して充電が開始される。この制御が繰り返される。
【００９０】
図１８および図１９を参照して、この発明の第５の実施形態の変形例を説明する。この変形例では、２次電池２４の端子電圧に応じてコンデンサ１５を充電するパルス周期（周波数）を変化するようにしたものである。
【００９１】
差検出回路９１では、コンデンサ１５の端子電圧と、２次電池２４の端子電圧との電圧差が検出される。検出された電圧差がないと判断された場合、オフ信号が制御回路９５へ供給される。制御回路９５では、差検出回路９１からオフ信号が供給されると、スイッチ回路２２をオフとするための制御信号がスイッチ回路２２へ供給される。スイッチ回路２２は、スイッチ２２ａおよび２２ｂから構成される。
【００９２】
電圧検出回路９２では、２次電池２４の電圧が検出される。検出された電圧値が電圧ｖ５１（図１９参照）であると判断された場合、オン信号が制御回路９５へ供給される。制御回路９５では、電圧検出回路９２からオン信号が供給されると、スイッチ回路２２をオンとするための制御信号がスイッチ回路２２へ供給される。
【００９３】
電圧検出回路９３では、２次電池２４の電圧が検出される。検出された電圧値が電圧ｖ５４であると判断された場合、停止信号発信回路９４に信号が供給され、検出された電圧値が電圧ｖ５１であると判断された場合、動作信号発信回路９６へ信号が供給される。
【００９４】
停止信号発信回路９４では、電圧検出回路９３から信号が供給されると、コンデンサ１５の充電を停止するための停止信号が制御回路９５へ供給される。制御回路９５では、停止信号発信回路９４から停止信号が供給されると、スイッチ回路２２をオフとするための制御信号がスイッチ回路２２へ供給される。
【００９５】
動作信号発信回路９６では、電圧検出回路９３から信号が供給されると、２次電池２４を充電するために、スイッチング回路１を動作させるための動作信号が電源供給回路９７へ供給される。電源供給回路９７では、動作信号発信回路９６から動作信号が供給されると、充電回路８１を動作させるための制御信号が充電回路８１へ供給される。
【００９６】
なお、差検出回路９１、電圧検出回路９２、および制御回路９５は、２次電池２４から動作するための電力が供給され、電源供給回路９７は、スイッチ回路２２がオンとなったときのみ、スイッチ２２ｂを介して２次電池２４から動作するための電力が供給される。
【００９７】
コンデンサ１５の端子電圧が電圧ｖ５２になると、スイッチ回路２２をオンさせて、２次電池２４によって充電され、コンデンサ１５の端子電圧が電圧ｖ５４になると、スイッチ回路２２をオフさせて、充電を停止させる。
【００９８】
このように、２次電池２４の電力によってコンデンサ１５を充電する場合、２次電池２４の容量が低下する。２次電池の容量が低下すると、コンデンサ１５を充電しても、その端子電圧が電圧ｖ５４に達することなく充電が終了する。
【００９９】
２次電池２４が満充電の場合、コンデンサ１５の端子電圧は、電圧ｖ５４となり、次に充電するまでの間隔が時点ｔ５０からｔ５１となる。しかし、２次電池２４の容量が低下すると、例えば電圧ｖ５３までしかコンデンサ１５を充電することができない。この場合、次に充電するまでの間隔が時点ｔ５１からｔ５２となり、時点ｔ５０からｔ５１との間隔からすると短くなる。
【０１００】
このように、２次電池２４の容量に応じてコンデンサ１５を充電する周期を変化させることができる。
【０１０１】
なお、図１９中の電圧ｖ５２は、コンデンサ１５を充電するための所定値であり、電圧ｖ５１は、２次電池２４を充電するための所定値である。
【０１０２】
図２０のフローチャートを参照して、第５の実施形態の変形例の動作を説明する。ステップＳ４１では、スイッチング回路１が待機モードで制御されている。ステップＳ４２では、コンデンサ１５の端子電圧が電圧ｖ５２か否かが判断される。具体的には、コンデンサ１５を充電するか否かが判断される。コンデンサ１５の端子電圧が電圧ｖ５２を超えていると判断されると、ステップＳ４１へ制御が戻り、電圧ｖ５２であると判断されると、ステップＳ４３へ制御が移る。
【０１０３】
ステップＳ４３では、スイッチ回路２２がオンとされる。ステップＳ４４では、差検出回路９１において、コンデンサ１５の端子電圧と、２次電池２４の端子電圧との電圧差が検出される。ステップＳ４５では、電圧差の有無が判断され、電圧差があると判断されると、ステップＳ４４へ制御が戻り、電圧差がないと判断されると、ステップＳ４６へ制御が移る。
【０１０４】
ステップＳ４６では、スイッチ回路２２がオフとされる。ステップＳ４７では、電圧検出回路９３において、２次電池２４の端子電圧が検出される。ステップＳ４８では、検出された２次電池２４の端子電圧が電圧ｖ５１以下か否かが判断される。２次電池２４の端子電圧が電圧ｖ５１以下であると判断されると、ステップＳ５１へ制御が移り、２次電池２４の端子電圧が電圧ｖ５１を超えていると判断されると、ステップＳ４７へ制御が戻る。
【０１０５】
ステップＳ４９では、電圧検出回路９２において、２次電池２４の端子電圧が検出される。ステップＳ５０では、検出された２次電池２４の端子電圧が電圧ｖ５１以下か否かが判断される。２次電池２４の端子電圧が電圧ｖ５１以下であると判断されると、ステップＳ５１へ制御が移り、２次電池２４の端子電圧が電圧ｖ５１を超えていると判断されると、ステップＳ４９へ制御が戻る。
【０１０６】
ステップＳ５１では、２次電池２４を充電するための動作信号が動作信号発信回路９６から出力される。そして、スイッチ回路２２がオンとなり、充電回路８１によって２次電池が充電される。ステップＳ５２では、スイッチング回路１が動作モードで制御される。
【０１０７】
ステップＳ５３では、電圧検出回路９３において、２次電池２４の端子電圧が検出される。ステップＳ５４では、検出された２次電池２４の端子電圧が電圧ｖ５４以上か否かが判断される。２次電池２４の端子電圧が電圧ｖ５４以上であると判断されると、ステップＳ４１へ制御が戻り、２次電池２４の端子電圧が電圧ｖ５４未満であると判断されると、ステップＳ５３へ制御が戻る。
【０１０８】
ステップＳ５５では、電圧検出回路９２において、２次電池２４の端子電圧が検出される。ステップＳ５６では、検出された２次電池２４の端子電圧が電圧ｖ５４以上か否かが判断される。２次電池２４の端子電圧が電圧ｖ５４以上であると判断されると、ステップＳ４１へ制御が戻り、２次電池２４の端子電圧が電圧ｖ５４未満であると判断されると、ステップＳ５５へ制御が戻る。
【０１０９】
図２１を参照して、この発明の第６の実施形態を説明する。この第６の実施形態では、電子機器の２次電池２４から電力を供給しているときに、ＡＣアダプタと電子機器とが取り外されたことを検出する一例である。ＡＣアダプタ側の制御回路１０１は、出力端子２１ａおよび２１ｂと接続される。
【０１１０】
制御回路１０４では、スイッチ回路２２をオフとした後、電圧検出の指示が電圧検出回路１０２へ供給される。電圧検出回路１０２では、２次電池２４からＡＣアダプタ側へ供給される電圧が検出される。検出された電圧によって、ＡＣアダプタと電子機器が取り外されたか否かが電圧検出回路１０２では、判断され、取り外されたと判断された場合、供給停止信号発信回路１０３へ信号が供給される。
【０１１１】
供給停止信号発信回路１０３では、電圧検出回路１０２から信号が供給されると、２次電池２４の電力の供給を停止するために供給停止信号を制御回路１０４へ供給する。制御回路１０４では、供給停止信号発信回路１０３から供給停止信号が供給されると、スイッチ回路２２および充電回路８１の動作を停止させるための信号がスイッチ回路２２および停止信号発信回路１０５へ供給される。停止信号発信回路１０５では、制御回路１０４から動作を停止させるための信号が供給されると、充電回路８１を停止させるための停止信号が充電回路８１へ供給される。
【０１１２】
図２２のフローチャートを参照して、第６の実施形態の動作を説明する。ステップＳ６１では、スイッチング回路１が待機モードで制御されている。ステップＳ６２では、スイッチング回路１を再起動させるための電力を２次電池２４から供給している。例えば、上述したように２次電池２４の出力がパルス状になるように、制御回路８２によってスイッチ回路２２のオン／オフが制御される。
【０１１３】
ステップＳ６３では、スイッチ回路２２がオフとされる。ステップＳ６４では、ＡＣアダプタの出力端子２１ａおよび２１ｂと接続される端子間の電位差が検出される。ステップＳ６５では、検出された電位差が所定値以下か否かが判断される。所定値以下である、すなわちＡＣアダプタと電子機器は取り外されていると判断されると、ステップＳ６７へ制御が移り、所定値を超えている、すなわちＡＣアダプタと電子機器は接続していると判断されると、ステップＳ６６へ制御が移る。
【０１１４】
ステップＳ６６では、スイッチング回路１を再起動させるための電力を２次電池２４から供給する動作を停止させる。そして、ステップＳ６４へ制御が戻る。
【０１１５】
ステップＳ６７では、２次電池２４から供給している電圧、すなわち２次電池２４の端子電圧が検出される。ステップＳ６８では、検出された電圧が所定値以下か否かが判断される。検出された電圧が所定値以下である、すなわち２次電池２４を充電する必要があると判断されると、ステップＳ６９へ制御が移り、検出された電圧が所定値を超えている、すなわち未だ２次電池２４を充電する必要がないと判断されると、ステップＳ７２へ制御が移る。
【０１１６】
ステップＳ７２では、スイッチ回路２２がオンとされ、ステップＳ６２へ制御が移る。
【０１１７】
ステップＳ６９では、充電回路８１が動作され、２次電池２４を充電するために、スイッチング回路１が再起動され、動作モードで制御される。ステップＳ７０では、２次電池２４の端子電圧が検出される。ステップＳ７１では、検出された端子電圧が所定値以上か否かが判断される。検出された端子電圧が所定値以上である、すなわち２次電池２４は満充電であると判断されると、ステップＳ６１へ制御が戻り、検出された端子電圧が所定値未満である、すなわち未だ２次電池２４は満充電ではないと判断されると、ステップＳ６９へ制御が戻る。
【０１１８】
このように、ＡＣアダプタから電子機器が取り外されたことが容易に判断することができる。
【０１１９】
ここで、電子機器からＡＣアダプタ内での検出値やその特性を切り替えるようにした、この発明の第７の実施形態を説明する。図２３Ａに示す、電流ｉ６１は、一例として待機モードを検出する電流値であり、電流ｉ６２は、動作モードを検出する電流値である。この図２３Ａおよび図２３Ｂに示すように、電流ｉ６３からｉ６４の間は、電子機器が動作しているときに使用する領域である。従って、電流ｉ６０からｉ６３の間が電子機器とＡＣアダプタとの信号伝送に使用することができる領域になる。
【０１２０】
電流ｉ６０からｉ６１の間は、スイッチング回路１が間欠モードで制御される領域であり、電流ｉ６１からｉ６３の間は、スイッチング回路１が待機モードで制御される領域であり、電流ｉ６２からｉ６３の間は、スイッチング回路１を再起動させるために、２次電池２４の電力が使用される領域である。
【０１２１】
このように領域毎にスイッチング回路１の制御が決められているため、電子機器から信号をＡＣアダプタ側に送信することによって、自在に切り替えることができる。例えば、待機モードや動作モードの検出電流値を切り替えたり、電子機器側の電池電力消費分を補うための小電力電源特性に切り替え、充電したりすることができる。
【０１２２】
なお、ＡＣアダプタが小電力電源特性になると、図２３Ａに示す電圧・電流特性図は、点線１１１で示すように最大電流値が抑えられる。
【０１２３】
そして、ＡＣアダプタ側の電源負荷電流で信号を作る方法を説明する。図２３に示す電流ｉ６０からｉ６１の間は、間欠モードでスイッチング回路１が制御される領域であり、電流ｉ６１からｉ６３の間は、定電圧の領域となる。従って、図２３Ｂに示すように、間欠モードを停止させる信号で定電圧で動作させるようにすれば伝送信号の誤動作を抑えることができる。
【０１２４】
この伝送信号では、モードの切り替えの他に、待機モード時の検出電流値を変更したり、動作モード時の検出電流値を変更したりすることができる。例えば、受信した伝送信号に応じて、図２４に示すように、待機モードを検出する電流値が電流ｉ７１からｉ７２へ変更され、動作モードを検出する電流値が電流ｉ７３からｉ７４へ変更される。
【０１２５】
具体的には、図２３Ｂに示すように電流ｉ６２を超えるパルスが１つ検出された場合、待機モード時の検出電流値を変更し、パルスが２つ検出された場合、動作モード時の検出電流値を変更したりすることができる。また、電子機器を動作させるときに使用する電流値が電流ｉ７５からｉ７７の領域であるが、小電力電源特性に変更すると、電流ｉ７５からｉ７６の領域へ変更される。
【０１２６】
さらに、図２５Ｂに示すように、電源極性を切り替えるようにして、使用しても良い。例えば、待機モード時で２次電池２４の使用した電力を補充するように小電力電源特性で、スイッチング回路１を制御するようにしたときに使用するようにしても良い。なお、図２５Ａに示す伝送信号は、図２５Ｂに示す伝送信号との比較を容易にするために記載した図２３Ｂに示す伝送信号である。
【０１２７】
このように、電子機器からＡＣアダプタの制御状態を変更することができるので、待機モードでリモコン（リモートコントローラ）回路などを動作させた場合は、ＡＣアダプタの待機電力を抑えることができる。また、２次電池２４の使用した電力を補充するような場合、ＡＣアダプタも小電力電源特性で動作することができるので、高い安全性を維持することができる。さらに、２次電池２４の使用した電力を補充することができる。言い換えると、簡単な充電器として使用することができる。
【０１２８】
図２６を参照して、この第７の実施形態を説明する。微少電流検出回路１２１では、例えば図２３Ｂに示すように電流値が変化する伝送信号が検出される。検出された伝送信号は、信号受信回路１２２へ供給される。信号受信回路１２２では、モードの切り替え、および電流値の変更など、供給された伝送信号に応じて切替信号が切替回路１２３へ供給される。
【０１２９】
切替回路１２３では、供給された切替信号に応じた信号が微少電流検出回路１２１および定電圧・電流検出回路１２４へ供給される。切替回路１２３から信号が供給された微少電流検出回路１２１では、検出される電流値が変更される。また、切替回路１２３から信号が供給された定電圧・電流検出回路１２４では、検出される定電圧値および電流値が変更される。
【０１３０】
定電圧・電流検出回路１２４は、抵抗１２５の両端と接続される。定電圧・電流検出回路１２４において、検出された電圧および電流は、帰還回路３を介して１次巻き線１１ａ側に供給され、設定された電圧および電流となるようにスイッチング回路１が制御される。すなわち、具体的には、定電圧・電流検出回路１２４において、設定された電圧および電流を変更することによって、ＡＣアダプタから出力される電圧値および電流値が変更される。
【０１３１】
リモコン回路１２６では、リモコン用のコマンド入力装置から送信されるコマンドを受信するための回路であり、制御回路１２９によって制御される。信号発信回路１２７では、ＡＣアダプタ側の制御を変更させるための伝送信号が生成され、発信される。この信号発信回路１２７は、制御回路１２９と相互に信号を遣り取りし、制御回路１２９によって制御される。動作確認回路１２８では、ＡＣアダプタ側の動作確認が行われる。その確認結果は、制御回路１２９へ供給される。制御回路１２９では、充電回路８１が制御される。
【０１３２】
このようにＡＣアダプタ側で検出する電圧値および電流値の変更、並びにＡＣアダプタの電源特性を変更することができる。
【０１３３】
この第７の実施形態では、一例として図２７に示す電流ｉ８１で待機モードが検出され、電流ｉ８６で動作モードが検出されるようにしている。電流ｉ８２からｉ８５の間の電流値は、検出の値に使用していない。そこで例えば、電流ｉ８３で待機モードを検出する電流値を変更するようにしても良いし、電流ｉ８４でＡＣアダプタから出力される電源特性を変更するようにしても良い。
【０１３４】
図２８のフローチャートを参照して、この第７の実施形態の動作を説明する。ステップＳ８１では、スイッチング回路１が待機モードで制御されている。ステップＳ８２では、微少電流検出回路１２１において微少電流が検出される。
【０１３５】
ステップＳ８３では、検出された微少電流が電子機器から伝送された伝送信号を形成しているか否か、すなわち伝送信号か否かが判断される。検出された微少電流が伝送信号であると判断されると、ステップＳ８４へ制御が戻り、検出された微少電流は伝送信号ではないと判断されると、ステップＳ８２へ制御が戻る。すなわち、電子機器から伝送信号が伝送されるまで、スイッチング回路１は待機モードで制御される。
【０１３６】
ステップＳ８４では、伝送された伝送信号から動作モードの検出値を変更するのか、待機モードの検出値を変更するのか、電源特性を変更するのかが判断される。動作モードの検出値を変更すると判断されると、ステップＳ８５へ制御が移り、待機モードの検出値を変更すると判断されると、ステップＳ８６へ制御が移り、電源特性を変更すると判断されると、ステップＳ８７へ制御が移る。
【０１３７】
ステップＳ８５では、動作モードを検出するための電流値が変更される。ステップＳ８６では、待機モードを検出するための電流値が変更される。ステップＳ８７では、ＡＣアダプタから出力される電源特性が変更される。ステップＳ８８では、変更された状態の待機モードでスイッチング回路１は制御される。
【０１３８】
この図２８のフローチャートでは、ステップＳ８５、Ｓ８６、およびＳ８７は、その中の１つが制御されるようにしているが、２つまたは３つの制御を同時に行うようにしても良い。例えば、動作モードの検出値の変更と待機モードの検出値の変更とを同時に行うようにしても良い。
【０１３９】
図２９を参照して、この発明が適用された第８の実施形態を説明する。端子１３１ａおよび１３１ｂを介して供給される商用電源は、ダイオードブリッジ１３２において、整流される。ダイオードブリッジ１３２の出力端には、コンデンサ１３３が設けられる。また、ダイオードブリッジ１３２の出力端には、抵抗１３４およびフォトカプラ１４１の発光ダイオード１４１ｓが設けられる。
【０１４０】
トランス１１の１次巻き線１１ａの一端は、ダイオードブリッジ１３２の出力端の一方と接続され、その他端は、スイッチング回路１に接続される。トランス１１の３次巻き線１１ｃの一端は、スイッチング回路１に接続され、その他端は、ダイオードブリッジ１３２の出力端の他方と接続される。
【０１４１】
フォトカプラ１４１のフォトトランジスタ１４１ｒのコレクタは、ダイオード１２のカソードと接続され、そのエミッタは、抵抗１４０を介して２次巻き線１１ｂの他端と接続される。また、ダイオード１２のカソードと出力端子２１ａとの間に、ＦＥＴ（Ｆｉｅｌｄ  Ｅｆｆｅｃｔ  Ｔｒａｎｓｉｓｔｏｒ）１３５が設けられる。なお、ＦＥＴ１３５には、寄生ダイオード１３６が設けられている。２次電池２４と並列に電子機器の負荷１４６が接続される。
【０１４２】
一例として、商用電源が供給されると、発光ダイオード１４１ｓが発光し、フォトトランジスタ１４１ｒがオンとなる。オンとされたフォトトランジスタ１４１ｒから信号検出回路１３９へ信号が供給される。また、商用電源の供給が停止されると、発光ダイオード１４１ｓが発光しないため、フォトトランジスタ１４１ｒがオフとなる。オフとされたフォトトランジスタ１４１ｒから信号検出回路１３９へは信号が供給されない。
【０１４３】
従って、信号検出回路１３９では、フォトカプラ１４１から信号が供給されると、商用電源が供給されていると判断し、信号の供給が停止されると、商用電源の供給が停止された、すなわち商用電源を獲得するプラグがコンセントから取り外されたと判断する。商用電源の供給が停止されたと判断すると、信号検出回路１３９から信号が停止信号発信回路１３８へ供給される。
【０１４４】
停止信号発信回路１３８では、信号検出回路から信号が供給されると、待機電源供給停止回路１３７へ停止信号が供給される。待機電源供給停止回路１３７では、停止信号発信回路１３８から停止信号が供給されると、ＦＥＴ１３５をオフとするための制御信号がＦＥＴ１３５へ供給される。
【０１４５】
このように、商用電源の供給が停止されると、ＦＥＴ１３５をオフすることによって、待機モード時にコンデンサ１５を充電するために供給される２次電池２４からの電力が遮断される。起動回路１４２では、コンデンサ１５に充電された電力からスイッチング回路１を再起動させるための電力が獲得される。しかしながら、２次電池２４からの電力が遮断されると、コンデンサ１５の端子電圧が低下し、スイッチング回路１を再起動させる電力がなくなるため、スイッチング回路１の待機モードの制御も停止される。
【０１４６】
また、図３０に示すように、電子機器側では、電圧検出回路１０２において、ＡＣアダプタの出力端子２１ａおよび２１ｂの電位差が低下するので、２次電池２４への充電動作およびコンデンサ１５への電力の供給を停止する。
【０１４７】
なお、この図３０では、ダイオード１２のカソードと出力端子２１ａとの間に設けられたＦＥＴ１３５が、コンデンサ１３の他端およびコンデンサ１５の他端と、出力端子２１ｂとの間に設けられている。ＦＥＴ１３５を、図３０の位置に設けるようにしても、図２９と同じ動作で、同じ効果を得ることができる。
【０１４８】
図３１を参照して、この第８の実施形態の第１の他の例を説明する。この図３１では、端子１３１ａと信号検出回路１３９との間に、コンデンサ１５１が設けられ、ダイオードブリッジ１３２の出力端の他方と、信号検出回路１３９との間に、コンデンサ１５２が設けられる。
【０１４９】
端子１３１ａおよび１３１ｂから商用電源が供給されると、コンデンサ１５１および１５２には、微少電流が流れる。信号検出回路１３９では、コンデンサ１５１および１５２に流れる微少電流を検出することによって、ＡＣアダプタのプラグとコンセントとが接続しているか、取り外されたかを判断することができる。すなわち、信号検出回路１３９において、コンデンサ１５１および１５２を介して微少電流が検出されると、プラグとコンセントとが接続されていると判断され、微少電流が検出されいないと、プラグとコンセントとが取り外されていると判断される。
【０１５０】
この図３１では、コンデンサ１５２は、ダイオードブリッジ１３２の出力端の他方と接続されているが、端子１３１ｂと接続されるようにしても良い。
【０１５１】
図３２を参照して、この第８の実施形態の第２の他の例を説明する。この第２の他の例では、ＦＥＴ１３５の代わりに、負荷１５６を設けたものである。コンデンサ１５を充電するために供給される２次電池２４からの電力を遮断するＦＥＴ１３５に代えて、負荷１５６がコンデンサ１５と並列に設けられる。
【０１５２】
この負荷１５６では、待機電源供給停止回路１３７から供給される制御信号に応じて、コンデンサ１５より多くの電流が流されるか、全く電流を流さないかが制御される。負荷１５６にコンデンサ１５より多くの電流が流れるように制御されると、コンデンサ１５には殆ど電流が流れなくなるため、ＦＥＴ１５をオフとしたときと同様にコンデンサ１５を充電することができない。
【０１５３】
このように、負荷１５６に電流が流れたことを電子機器側で検出するこができるので、電子機器側でコンデンサ１５の充電を停止しているか否かが検出できる。電子機器側では、出力端子２１ａとスイッチ回路２２との間に、抵抗１５８が設けられる。この抵抗１５８の両端に接続された電流検出回路１５７が設けられる。この電流検出回路１５７では、負荷１５６に電流が流れていると判断すると、２次電池２４への充電動作およびスイッチ回路２２をオフとするための信号が供給停止信号発信回路１０３へ供給される。
【０１５４】
また、点線で示すように電圧検出回路１０２を設けるようにして、供給停止信号発信回路１０３において、電圧検出回路１０２からの信号と、電流検出回路１５７からの信号とからコンデンサ１５の充電を停止しているか否かを判断するようにしても良い。
【０１５５】
図３３を参照して、この発明の第９の実施形態を説明する。ダイオード１６１のアノードは、２次巻き線１１ｂの一端と接続され、そのカソードは、コンデンサ１６２を介して２次巻き線１１ｂの他方と接続される。ダイオード１６１のカソードは、電圧検出回路１６３と接続される。この電圧検出回路１６３では、１次巻き線１１ｂから出力されるパルス電圧が検出される。
【０１５６】
待機モード検出回路１６６は、ダイオード１４のカソードと接続される。待機モード検出回路１６６では、２次電池２４から供給される電力によってコンデンサ１５が充電されていることが検出されると、タイマ回路１６７へスタート信号が供給される。
【０１５７】
タイマ回路１６７では、待機モード検出回路１６６からスタート信号が供給されると、スイッチング回路１を動作させる時間がカウントされる。スイッチング回路１を動作させる時間に達すると、一時起動信号発信回路１６８に、例えば図３４に示すようなタイマ信号が供給される。
【０１５８】
一時起動信号発信回路１６８では、タイマ回路１６７からタイマ信号が供給されると、再起動させるための信号が帰還回路３を介してスイッチング回路１へ供給される。また、この信号は、電圧検出回路１６３にも供給される。
【０１５９】
電圧検出回路１６３では、一時起動信号発信回路１６８からの信号が供給された後、スイッチング回路１が動作し、１次巻き線１１ｂから出力されるパルス電圧が検出される。この電圧検出回路１６３では、一時起動信号発信回路１６８からの信号が供給された後、所定時間内にパルス電圧が検出されない場合、電圧検出回路１６３から停止信号発信回路１３８へ信号が供給される。
【０１６０】
停止信号発信回路１３８では、電圧検出回路１６３からの信号に応じて、停止信号が待機電源供給回路１３７に供給される。すなわち、この停止信号発信回路１３８では、電圧検出回路１６３から信号が供給されると、プラグがコンセントと接続され、商用電源が供給されていると判断し、電圧検出回路１６３から信号が供給されないと、コンセントからプラグが取り外されていると判断される。従って、この停止信号発信回路１３８では、コンセントからプラグが取り外されていると判断されると、停止信号が待機電源供給停止回路１３７へ供給される。
【０１６１】
このように、所定の間隔でスイッチング回路１を動作させることによって、コンセントとプラグが接続されているか否かを確認することができる。
【０１６２】
なお、電圧検出回路１６３は、ダイオード１６１のカソードと接続されているが、ダイオード１６１のアノードと接続されるようにしても良い。
【０１６３】
図３５のフローチャートを参照して、この第８および第９の実施形態の動作を説明する。ステップＳ９１では、スイッチング回路１が待機モードで制御されている。ステップＳ９２では、後述するコンセントからプラグが取り外されたか否かの信号検出のサブルーチンが呼び出される。呼び出されたサブルーチンの制御が終了すると、ステップＳ９３へ制御が移る。
【０１６４】
ステップＳ９３では、ＦＥＴ１３５がオフとされ、コンデンサ１５の充電が停止される。そして、電子機器が動作される。ステップＳ９４では、２次電池２４からの電力の供給を停止する供給停止信号が検出される。ステップＳ９５では、供給停止信号が検出されたか否かが判断される。供給停止信号が検出されたと判断されると、ステップＳ９６へ制御が移り、供給停止信号が検出されていないと判断されると、ステップＳ９４へ制御が戻る。
【０１６５】
ステップＳ９６では、スイッチ回路２２がオフとされ、２次電池２４からの電力の供給が停止される。ステップＳ９７では、ＡＣアダプタから電圧が検出される。ステップＳ９８では、検出された電圧が所定値以上か否かが判断される。検出された電圧が所定値以上であると判断されると、ステップＳ９９へ制御が移り、検出された電圧が所定値未満であると判断されると、ステップＳ９７へ制御が戻る。
【０１６６】
ステップＳ９９では、ＡＣアダプタの２次巻き線１１ｂ側および電子機器が待機モードで起動される。そして、ステップＳ９２へ制御が戻る。
【０１６７】
図３６フローチャートを参照して、この第８の実施形態の動作を説明する。この図３６のフローチャートは、ステップＳ９２で呼び出されるサブルーチンである。ステップＳ１０１では、信号検出回路１３９において、フォトカプラ１４１からの信号が検出される。ステップＳ１０２では、フォトカプラ１４１からの信号が検出されたか否かが判断される。フォトカプラ１４１からの信号が検出されたと判断されると、このフローチャートが終了し、呼び出されたステップＳ９２へ制御が戻る。フォトカプラ１４１からの信号が検出されていないと判断されると、ステップＳ１０１へ制御が戻る。
【０１６８】
図３７フローチャートを参照して、この第８の実施形態の動作を説明する。この図３７のフローチャートは、ステップＳ９２で呼び出されるサブルーチンである。ステップＳ１０６では、信号検出回路１３９において、コンデンサ１５１および１５２から微少電流が検出される。ステップＳ１０７では、コンデンサ１５１および１５２から微少電流が検出されるか否かが判断される。コンデンサ１５１および１５２から微少電流が検出されたと判断されると、このフローチャートが終了し、呼び出されたステップＳ９２へ制御が戻る。コンデンサ１５１および１５２から微少電流が検出されていないと判断されると、ステップＳ１０６へ制御が戻る。
【０１６９】
図３８フローチャートを参照して、この第９の実施形態の動作を説明する。この図３８のフローチャートは、ステップＳ９２で呼び出されるサブルーチンである。ステップＳ１１１では、待機モード検出回路１６６からスタート信号が供給され、スイッチング回路１を動作させる時間のカウント動作がタイマ回路１６７において開始される。
【０１７０】
ステップＳ１１２では、カウントされている時間が所定時間か否かが判断される。カウントされている時間が所定時間であると判断されると、ステップＳ１１３へ制御が移り、カウントされている時間が未だ所定時間ではないと判断されると、このステップＳ１１２の制御が繰り返される。
【０１７１】
ステップＳ１１３では、スイッチング回路１を再起動させるための、信号がスイッチング回路１へ供給される。そして、スイッチング回路１が再起動される。ステップＳ１１４では、電圧検出回路１６３において、２次巻き線１１ｂから出力されるパルス電圧が検出される。
【０１７２】
ステップＳ１１５では、電圧検出回路１６３において、信号が供給された後２次巻き線１１ｂからパルス電圧が検出されたか否かが判断される。信号が供給された後パルス電圧が検出されたと判断されると、ステップＳ１１６へ制御が移る。なお、所定時間に達し、パルス電圧が検出されたので、呼び出されたステップＳ９２へも制御が戻る。信号が供給された後パルス電圧が検出されていないと判断されると、ステップＳ１１４へ制御が戻る。すなわち、パルス電圧が検出されるまでこのステップＳ１１４およびＳ１１５の制御が繰り返される。
【０１７３】
ステップＳ１１６では、タイマ回路１６７のカウントがリセットされる。
【０１７４】
図３５に示すステップＳ９２で呼び出されるサブルーチンとして３つの例を図３６、図３７、および図３８に示したが、この３つのフローチャートの中から２つまたは３つ同時に並列に制御されるようにしても良い。
【０１７５】
この発明は、上述したこの発明の一実施形態等に限定されるものではなく、この発明の要旨を逸脱しない範囲内で様々な変形や応用が可能である。
【０１７６】
上述した実施形態を適用したＡＣアダプタの動作を説明する。第１の例は、電子機器とＡＣアダプタとが接続された状態で、ＡＣアダプタのプラグがコンセントに挿入された場合である。まず、ＡＣアダプタは、所定時間動作モードで制御される。そして、電子機器では、ＡＣアダプタが動作モードで制御されていることが検出される。そして、待機モードとなる電流値およびスイッチング回路１を再起動するための２次電池２４からの電力がＡＣアダプタへ供給される。
【０１７７】
ＡＣアダプタでは、待機モードでスイッチング回路１が制御される。すなわち、スイッチング回路１の動作が停止される。そして、コンデンサ１５の端子電圧が検出され、スイッチング回路１を再起動させる電力より低いと判断されると、２次電池２４の電力でコンデンサ１５を充電したり、スイッチング回路１を再起動し、コンデンサ１５を充電したりする制御がなされる。
【０１７８】
第２の例は、プラグがコンセントと接続されているＡＣアダプタと接続されている電子機器を、ＡＣアダプタから取り外した場合である。このとき、ＡＣアダプタは、間欠モードで制御される。そして、電子機器側では、ＡＣアダプタから取り外されたことが電圧および電流の少なくとも１つから判断され、２次電池１４の電力の供給が停止される。
【０１７９】
第３の例は、ＡＣアダプタと電子機器とが接続された状態で、ＡＣアダプタのプラグがコンセントから取り外された場合である。ＡＣアダプタでは、コンセントから取り外されたことが検出され、ＡＣアダプタから電子機器へその旨の信号が供給される。電子機器では、その信号が検出され、２次電池２４の電力の供給が停止される。
【０１８０】
第４の例は、コンセントにプラグが接続されているＡＣアダプタに、電子機器を接続した場合である。このとき、ＡＣアダプタは、間欠モードで動作している。ＡＣアダプタと接続されると、電子機器では、電圧が検出され、ＡＣアダプタが間欠モードで動作していることが検出される。そして、待機モードとなる電流値およびスイッチング回路１を再起動するための２次電池２４からの電力がＡＣアダプタへ供給される。
【０１８１】
ＡＣアダプタでは、間欠モードから待機モードへ制御が変更され、スイッチング回路１の動作が停止される。そして、コンデンサ１５の端子電圧が検出され、スイッチング回路１を再起動させる電力より低いと判断されると、２次電池２４の電力でコンデンサ１５を充電したり、スイッチング回路１を再起動し、コンデンサ１５を充電したりする制御がなされる。
【０１８２】
また、従来の電子機器にも対応することができる。従来の電子機器に対応する第１の例は、コンセントにプラグが接続されているＡＣアダプタに、電子機器を接続した場合である。このとき、ＡＣアダプタは、間欠モードで動作している。ＡＣアダプタと接続されると、電子機器では、電圧が検出され、ＡＣアダプタから待機モード時の電流が供給される。電子機器では、間欠モードから動作モードへＡＣアダプタの制御を変更するための電流値がＡＣアダプタへ供給される。これに応じて、ＡＣアダプタでは、スイッチング回路１が動作モードで制御される。
【０１８３】
従来の電子機器に対応する第２の例は、ＡＣアダプタと電子機器とが接続された状態で、ＡＣアダプタのプラグがコンセントから取り外された場合である。ＡＣアダプタでは、コンセントから取り外されたことが検出され、ＡＣアダプタから電子機器へその旨の信号が供給される。そして、ＡＣアダプタの動作が停止され、出力電圧が零になり、電子機器の回路の動作が停止される。すなわち、ＡＣアダプタからコンセントから取り外された信号が電子機器に供給されても、電子機器では、回路の動作が停止されるので、全く問題はない。
【０１８４】
なお、上述の実施形態において、ダイオード１４と並列に抵抗を挿入することによって、電子機器側でもコンデンサ１５の電圧値を検出することが可能である。
【０１８５】
この実施形態において、ＡＣアダプタ内に設けられる電力蓄積手段としてコンデンサ１５が使用されているが、２次電池を使用するようにしても良い。
【０１８６】
【発明の効果】
この発明に依れば、待機モード時にスイッチングを完全に停止することができるので、待機モード時の消費電力を零にすることができる。
【０１８７】
この発明に依れば、待機モード時にスイッチングを完全に停止しても、接続された、または接続されている電子機器の２次電池を使用してスイッチングを再起動させることができる。
【図面の簡単な説明】
【図１】この発明の動作モードおよび待機モードについて説明するための略船図である。
【図２】この発明の動作モードおよび待機モードについて説明するための略船図である。
【図３】この発明が適用された第１の実施形態について説明するためのブロック図である。
【図４】この発明が適用された第１の実施形態で使用される電力の蓄積について説明するためのブロック図である。
【図５】この発明が適用された第１の実施形態の動作について説明するためのブロック図である。
【図６】この発明の第１の実施形態について説明するための特性図である。
【図７】この発明が適用された第２の実施形態について説明するためのブロック図である。
【図８】この発明の第２の実施形態について説明するための特性図である。
【図９】この発明の第２の実施形態に適用される供給モード、待機モード、および間欠モードについて説明するための特性図である。
【図１０】この発明の第２の実施形態の動作について説明するためのフローチャートである。
【図１１】この発明が適用された第３の実施形態について説明するためのブロック図である。
【図１２】この発明の第３の実施形態に適用される供給モード、待機モードを説明するための特性図である。
【図１３】この発明の第３の実施形態の動作について説明するためのフローチャートである。
【図１４】この発明が適用される第４の実施形態について説明するためのブロック図である。
【図１５】この発明の第４の実施形態の動作について説明するためのフローチャートである。
【図１６】この発明が適用される第５の実施形態について説明するためのブロック図である。
【図１７】この発明の第５の実施形態について説明するための特性図である。
【図１８】この発明が適用される第５の実施形態の変形例について説明するためのブロック図である。
【図１９】この発明の第５の実施形態の変形例について説明するための特性図である。
【図２０】この発明の第５の実施形態の変形例の動作について説明するためのフローチャートである。
【図２１】この発明が適用される第６の実施形態について説明するためのブロック図である。
【図２２】この発明の第６の実施形態の動作について説明するためのフローチャートである。
【図２３】この発明が適用される第７の実施形態について説明するための特性図である。
【図２４】この発明が適用される第７の実施形態について説明するための特性図である。
【図２５】この発明が適用される第７の実施形態について説明するための略線図である。
【図２６】この発明が適用された第７の一実施形態について説明するためのブロック図である。
【図２７】この発明が適用される第７の実施形態について説明するための特性図である。
【図２８】この発明の第７の実施形態の動作について説明するためのフローチャートである。
【図２９】この発明が適用される第８の実施形態について説明するためのブロック図である。
【図３０】この発明が適用される第８の実施形態について説明するためのブロック図である。
【図３１】この発明が適用される第８の実施形態の第１の他の例について説明するためのブロック図である。
【図３２】この発明が適用される第８の実施形態の第２の他の例について説明するためのブロック図である。
【図３３】この発明が適用される第９の実施形態について説明するためのブロック図である。
【図３４】この発明の第９の実施形態について説明するための特性図である。
【図３５】この発明の第８および第９の実施形態の動作について説明するためのフローチャートである。
【図３６】この発明の第８の実施形態の動作について説明するためのフローチャートである。
【図３７】この発明の第８の実施形態の動作について説明するためのフローチャートである。
【図３８】この発明の第９の実施形態の動作について説明するためのフローチャートである。
【図３９】従来の制御について説明するための特性図である。
【符号の説明】
１・・・スイッチング回路、２・・・制御回路、３・・・帰還回路、４・・・信号検出回路、５・・・起動回路、１１・・・トランス、１１ａ・・・１次巻き線、１１ｂ・・・２次巻き線、１１ｃ・・・３次巻き線、１２、１４・・・ダイオード、１３、１５・・・コンデンサ、１６・・・検出制御回路、１７・・・抵抗、１８・・・再起動電源回路、１９・・・電圧検出回路、２０・・・起動信号発信回路、２１ａ、２１ｂ・・・出力端子、２２・・・スイッチ回路、２３・・・端子、２４・・・２次電池
【図１】
2004312892.tif 000003
【図２】
2004312892.tif 000004
【図３】
2004312892.tif 000005
【図４】
2004312892.tif 000006
【図５】
2004312892.tif 000007
【図６】
2004312892.tif 000008
【図７】
2004312892.tif 000009
【図８】
2004312892.tif 000010
【図９】
2004312892.tif 000011
【図１０】
2004312892.tif 000012
【図１１】
2004312892.tif 000013
【図１２】
2004312892.tif 000014
【図１３】
2004312892.tif 000015
【図１４】
2004312892.tif 000016
【図１５】
2004312892.tif 000017
【図１６】
2004312892.tif 000018
【図１７】
2004312892.tif 000019
【図１８】
2004312892.tif 000020
【図１９】
2004312892.tif 000021
【図２０】
2004312892.tif 000022
【図２１】
2004312892.tif 000023
【図２２】
2004312892.tif 000024
【図２３】
2004312892.tif 000025
【図２４】
2004312892.tif 000026
【図２５】
2004312892.tif 000027
【図２６】
2004312892.tif 000028
【図２７】
2004312892.tif 000029
【図２８】
2004312892.tif 000030
【図２９】
2004312892.tif 000031
【図３０】
2004312892.tif 000032
【図３１】
2004312892.tif 000033
【図３２】
2004312892.tif 000034
【図３３】
2004312892.tif 000035
【図３４】
2004312892.tif 000036
【図３５】
2004312892.tif 000037
【図３６】
2004312892.tif 000038
【図３７】
2004312892.tif 000039
【図３８】
2004312892.tif 000040
【図３９】
2004312892.tif 000041